(57)【特許請求の範囲】
【請求項１】
床パンの浴槽設置面の壁側に浴槽設置面よりも高い段部を立設し、段部の上面側に排水溝を設けると共にこの排水溝に床パンの排水口側に向かって水を流下させるための水勾配を設けたことを特徴とする床パンの排水勾配構造。
【発明の詳細な説明】
【０００１】
【発明の属する技術分野】
本発明は、床パンの排水勾配構造に関するものである。
【０００２】
【従来の技術】
従来、この種の床パンの排水勾配構造としては図７に示すように、床パン１の浴槽設置面２の内側部分２ａに排水口６側に水を流下させるための水勾配Ｗ’を設け、浴槽から溢れた水を浴槽設置面２の内側部分２ａに流下させて排水口６に排水するのが一般的である。
【０００３】
【発明が解決しようとする課題】
しかしながら、浴室ユニットにあっては床パン１から天井面までの高さが一定に制約されている場合があり、かかる場合にあっては、浴槽設置面２の内側部分２ａの水勾配Ｗ’を大きくすると浴槽が高くなり、その分だけ天井面までの高さが低くなって圧迫感を与えるという問題が生じ、一方、水勾配Ｗ’を小さくすると、排水性能が低下して浴槽の下に水が溜まってカビの原因となり、衛生面での問題が生じる。
【０００４】
本発明は、上記の従来例の問題点に鑑みて発明したものであって、その目的とするところは、浴槽設置面を低くしたままで排水溝の勾配だけを大きくすることが可能となり、排水性能を大幅に向上させることができ、さらに排水性能を高めることができるものでありながら、床パンから天井面までの高さが一定に制約されている場合であっても、天井面までの高さが低くなるのを防止できる床パンの排水勾配構造を提供するにある。
【０００５】
【課題を解決するための手段】
上記課題を解決するために本発明にあっては、床パン１の浴槽設置面２の壁側Ａに浴槽設置面２よりも高い段部４を立設し、段部４の上面側に排水溝５を設けると共にこの排水溝５に床パン１の排水口６側に向かって水を流下させるための水勾配Ｗを設けたことを特徴とする。
【０００７】
従って、浴槽設置面２を低くしたままで排水溝５の勾配Ｗだけを大きくすることが可能となり、排水溝５の勾配Ｗを大きくして排水性能を高めることができると共に、床パン１から天井面までの高さが一定に制約されている場合であっても天井面までの高さが低くなるのを防止できるようになる。
【０００８】
【発明の実施の形態】
以下、本発明を添付図面に示す実施形態に基づいて説明する。
【０００９】
本実施形態の床パン１は、図１、図２に示すように、浴槽３を設置する浴槽設置面２を備えており、浴槽設置面２の外周には、浴槽設置面２よりも一段低い外周溝部８が設けられており、外周溝部８の洗い場側Ｂの一辺に排水口６が設けられている。この外周溝部８は排水口６に向かって小さな水勾配が設けられている。なお、浴槽３の下面には脚部５０（図３）が浴槽３の下面外周の全周に亘って設けられており、この脚部５０が浴槽設置面２の外周縁に沿ってパッキン材により気密にシールされており、これにより外周溝部８から浴槽設置面２上面への水の流入を防止できる構造となっている。
【００１０】
上記浴槽設置面２の壁側Ａの三方には、それぞれ、浴槽設置面２よりも一段高い段部４が立設されている。各段部４は浴槽３の側壁面３ａ（図３）と干渉しない高さで、外周溝部８の外周部から上方に立ち上げられている。各段部４の上面の奥部には、段部４の上面４ａよりも一段低くなった排水溝５がそれぞれ形成されている。各段部４における排水溝５は互いに連通していると共に、両側の排水溝５，５の開口端部５ａ，５ｂが浴槽設置面２の外周溝部８にそれぞれ開放されており、排水溝５からの水が外周溝部８を伝って排水口６に排水されるようになっている。ここで上記排水溝５には、排水口６側に向かって水を流下させるための水勾配Ｗが形成されている。図２の例では、洗い場側Ｂとは反対方向に設けられた中央の排水溝５Ａの中央部の高さを最も高くし、両側の排水溝５Ｂ，５Ｂの開口端部５ａ，５ｂが最も低くなるように滑らかな水勾配Ｗとしてある。なお、浴槽設置面２の壁側Ａの三方には、図３に示すように、排水溝５の外周部から段部４よりも更に高い水返し片９が立設されており、この水返し片９の上端部に浴室壁１０を支持するための壁支持面１１が設けられている。
【００１１】
しかして、浴槽設置面２の壁側Ａの三方に一段高い排水溝５を設け、この排水溝５に床パン１の排水口６側に向かって水を流下させるための水勾配Ｗを設けてあるので、浴槽設置面２を低くしたままで排水溝５の勾配Ｗだけを大きくすることが可能となり、これにより、浴槽３から溢れた水を排水溝５を経由して排水口６側にスムーズに排水できるようになり、排水性能を大幅に向上させることができる。従って、従来のように浴槽３の下に水が溜まってカビの原因となることもないので衛生面できわめて良好となる。しかも排水溝５の勾配Ｗを大きくして排水性能を高めることができるものでありながら、浴槽設置面２に水勾配を設けなくてもよいため、床パン１から天井面までの高さが一定に制約されている場合であっても、浴槽設置面２の高さを低くして天井面までの高さを高くできるものである。また、浴槽設置面２の壁側Ａの三方は、浴槽３のフランジ部３ｃ（図３）によって覆われるデッドスペースの部分であり、この部分に排水溝５付き段部４を設けることによって、デッドスペースを利用して床パン１の大きさを変えることなく排水溝５を設けることができるようになる。また本例では、浴槽設置面２の壁側Ａの三方に設けられる排水溝５のうち、中央の排水溝５Ａの中央部を最も高くし、両側の排水溝５Ｂ，５Ｂの開口端部５ａ，５ｂを最も低くなるような水勾配Ｗとしたので、水が両側の排水溝５Ｂ，５Ｂに振り分けられてバランスよく排水されるようになるので、排水量が多い場合にも対応でき、浴槽設置面２の外周縁に浴槽の脚部５０（図３）がシールされていることとあいまって、浴槽設置面２への水の溢れ出しを効果的に防止できるという利点もある。なお排水溝５の最も高くなる部分は中央の排水溝５Ａの中央部に限られるものではなく、排水溝５の任意の箇所であればよく、適宜設計変更自在である。
【００１２】
図４、図５は他の実施形態を示している。本例では、床パン１の浴槽設置面２の壁側Ａの一辺に沿って細長いリブ形状の堰部７が立設されている。堰部７は浴槽３の側壁面３ａ及び底壁面３ｂ（図３とは干渉しない高さで立設されており、この堰部７の外側に排水溝５が設けられている。この排水溝５には、堰部７の高さＨを越えない範囲で床パン１の排水口６側に向かって水を流下させるための水勾配Ｗが設けられている。本例では、堰部７の高さＨを越えない程度に排水溝５の中央部５ｃの高さが最も高く、排水溝５の両端部５ａ，５ｂが最も低くなるような滑らかな山形状をした水勾配Ｗとしてある。この排水溝５の開口端部５ａ，５ｂは、浴槽設置面２の外周溝部８にそれぞれ開放されており、排水溝５からの水が外周溝部８に流れ落ちる。このとき、浴槽設置面２の外周縁に沿って浴槽３の脚部５０（図３）が気密にシールされているため、外周溝部８から浴槽設置面２上面への水の流入が防がれているため、排水溝５からの水が外周溝部８を伝って排水口６に排水されるようになる。さらに、排水溝５の溝幅は、排水溝５の中央部５ｃで最も狭く、両端部５ａ，５ｂに行く程広くなるように、堰部７の両端部を平面視で略く字状に浴槽設置面２側に傾斜させてあり、排水溝５に流れ込む排水量が多い場合にも対応できるようにしてある。しかして、上記図１〜図３の実施形態と同様、浴槽設置面２を低くしたままで排水溝５の勾配Ｗだけを大きくすることが可能となり、排水性能を大幅に向上させることができると共に、浴槽３の下に水が溜まってカビの原因となることもなく、天井面までの高さを高くできるという効果、さらに、浴槽設置面２の壁側Ａの一辺は、浴槽３のフランジ部３ｃ（図３）によって覆われるデッドスペースの部分であり、この部分に排水溝５、堰部７を設けることによって、床パン１の大きさを変える必要がないという効果が得られるうえに、本例では、浴槽設置面２の壁側Ａの一辺のみに山形状の水勾配Ｗで排水溝５を設けると共に、排水溝５の中央部５ｃを最も高く且つ溝幅を狭くし、両端部５ａ，２ｂを最も低く且つ溝横を広くしたので、排水溝５を伝って落ちる水の流下速度が速くなり、浴槽設置面２の外周溝部８の水勾配が小さくても外周溝部８上に勢いよく水を流して排水できるようになり、排水量が多い場合でも対応できるものである。なお本例では、排水溝５の中央部５ｃを最も高く且つ溝幅を狭くし、両端部５ａ，２ｂを最も低く且つ溝横を広くしたが、これに限らず、溝幅は一定でもよく、また一方の開口端部５ａ（又は５ｂ）で最も高く、他方の開口端部５ｂ（又は５ａ）で最も低くなるような水勾配としてもよいものである。また本例では、浴槽設置面２の壁側Ａの一辺のみに堰部７を立設したが、他の壁側Ａの辺にも立設してもよいものである。
【００１３】
【発明の効果】
上述のように請求項１記載の発明にあっては、床パンの浴槽設置面の壁側に浴槽設置面よりも高い段部を立設し、段部の上面側に排水溝を設けると共にこの排水溝に床パンの排水口側に向かって水を流下させるための水勾配を設けたことを特徴とする。
【００１５】
このような床パンの排水勾配構造を採用することにより、浴槽設置面を低くしたままで排水溝の勾配だけを大きくすることが可能となり、排水性能を大幅に向上させることができ、従来のように浴槽の下に水が溜まってカビの原因となることもないので衛生面できわめて良好となると共に、排水溝の勾配を大きくして排水性能を高めることができるものでありながら、浴槽設置面に勾配を設けなくてもよいため、床パンから天井面までの高さが一定に制約されている場合であっても、浴槽設置面の高さを低くして天井面までの高さを高くできるものである。
【図面の簡単な説明】
【図１】本発明の実施形態の一例を示す斜視図である。
【図２】同上の平面図である。
【図３】図２のＣ−Ｃ線断面図である。
【図４】他の実施形態の斜視図である。
【図５】同上の平面図である。
【図６】図５のＤ−Ｄ線断面図である。
【図７】従来例の平面図である。
【符号の説明】
１  床パン
２  浴槽設置面
３  浴槽
４  段部
５  排水溝
６  排水口
７  堰部
Ａ  壁側
Ｈ  堰部の高さ
Ｗ  水勾配
【図１】
0003879466.tif 000002
【図２】
0003879466.tif 000003
【図３】
0003879466.tif 000004
【図４】
0003879466.tif 000005
【図５】
0003879466.tif 000006
【図６】
0003879466.tif 000007
【図７】
0003879466.tif 000008